(57)【特許請求の範囲】
【請求項１】
紐掛けフックを同体とする回転板に軸穴を形成させる、と共に軸受けを組み込んだ誘導棒のグリップエンド部を形成して、双方を軸穴より僅かに細い軸ビスで合体させる事で誘導棒自体の横回転を可能にした事に依って紐のよじれと摩耗の防止を図った事、を特徴とする誘導棒のグリップ部構造。
【請求項２】
誘導棒グリップ部の乾電池ケース内底部に一定の深さのホールとストッパーＢとを交互に配置形成させる、と共に円錐形でスパイラル形状のコイルスプリング最大外径部端末には先端を下方に向け直角に伸びるストッパーＡを形成させて、伝導板を装着させたコイルスプリングのストッパーＡを乾電池ケースのホールに収納しグリップ部に装着させる事で、ストッパーＡを乾電池挿入による押し戻し圧力に依るコイルスプリングの自然回転でホール隣接のストッパーＢに突き当てさせる事に依ってコイルスプリングの回転を止める事、を特徴とする誘導棒グリップ部の内部構造。
【発明の詳細な説明】
【技術分野】
【０００１】  本発明は、交通誘導に使用する誘導棒のグリップ部の構造に関する。
【背景技術】
【０００２】  従来使用されている誘導棒グリップ部の構造は、紐活用の操作等に於いて誘導棒自体の横回転が発生するが、其の回転を吸収する機能が無く紐のよじれに依り誘導棒が不自然な反動運動を起こす事となる、と共に紐の摩耗を起こし易い構造と成っている。【０００３】  また従来の誘導棒はグリップ部の乾電池ケース内に於いて、マイナス側電気は円錐形でスパイラル形状のコイルスプリング最大外形部端末に移動可能な状態で装着させた伝導板のバネ運動に依って先端部を誘導灯部側に密着させ、またプラス側電気はグリップ部を誘導灯部に合体させる事に依って電池の突起部分から直接に伝導する構造と成っている、  従ってコイルスプリングは乾電池を挿入し誘導棒を操作する事で乾電池に圧縮されている関係に依り外部から受ける振動に依って最大外形部に対しスパイラル形状の低い方向に向かって回転を起こす事となる、従って伝導板はコイルスプリングの回転に依る横方同の強い圧力を受ける事と成りガイドとの摩擦で圧し曲げられガイドから外れる等、自由を奪われ動け無く成ると共に正常なバネ運動が図れなく成り、伝導板先端部と誘導灯部側との継続する接触が図れなく成って電気の伝導障害が発生する大きな欠陥がある、  なおコイルスプリングの自然回転に依る伝導板に対する摩擦及び圧力はコイルスプリングがスパイラル形状の為に通常操作でも多発するが特に回転操作に依り強く発生をする傾向がある。
【発明の開示】
【発明が解決しようとする課題】
【０００４】  上記のごとく、従来の物は操作時に誘導棒自体の横回転で起こる紐のよじれに依り発生する反動運動がリズムカルな操作と紐の耐久性を妨げている構造の物である、と共に電気の伝導障害に依り夜間操作時に点灯をしなかったり突然消灯する等、危険な状態が発生しやすい物である。【０００５】  本発明は、このような点に鑑みて成され、誘導棒グリップ部の横回転作用を吸収する機構を組み入れる事に依って誘導棒の不自然運動と紐の摩耗が防止出来るようにする、と共にコイルスプリングの回転を阻止する事に依って伝導板の正常なバネ運動を確保し伝導板の接触不良による突然の消灯等の問題を解消するように図った事にある。
【問題を解決するための手段】
【０００６】  上記の目的を達成するために請求項１では紐掛け用フックを同体とし軸穴を設けた回転板を形成させる、と共に軸受けを組み込んだ誘導棒のグリップエンド部を形成して、双方を軸穴より僅かに細い軸ビスで合体させる事に依って誘導棒自体の横回転を図る、と言う技術的手段を講じている。
【０００７】  請求項２では誘導棒グリップ部の乾電池ケース内底部にホールとストッパーＢとを交互に形成させる、と共にコイルスプリングの最大外径部端末には先端を下方に向け直角に伸びるストッパーＡを形成させ伝導板を装着したコイルスプリングのストッパーＡを乾電池ケースのホールに収納しグリップ部に装着する事に依って、コイルスプリングのストッパーＡをホール隣接のストッパーＢに突き当てさせてコイルスプリングの回転を止める、と言う技術的手段を講じている。
【発明の効果】
【０００８】  以上説明したように、本発明では従来使用されている誘導棒グリップ部の一部内外の改造で問題を解決した為に、安価に改善が図れる、と共に付帯紐の活用が充分にはかれ電気の伝導障害防止もはかれた事に依って信頼の高い物と成り長期間の使用にも耐え得る便利な誘導棒となった。
【発明を実施するための最良の形態】
【０００９】  以下、本発明の実施の形態を図面に基づき詳細に説明する。【００１０】  図１〜図５は本発明の実施の形態に係り、図１は誘導棒のグリップ部の外観斜視図、図２はその右側面図、図３は図２に於ける中央部縦（Ａ〜Ａ線）断面図、図４は図１と図３に於ける横（Ｂ〜Ｂ線）断面図、図５はストッパーＡを形成させたコイルスプリングに伝導板を装着し乾電池ケース内に装着した状態での図２に於ける縦（Ａ〜Ａ線）断面図。【００１１】  請求項１に依る方法は図１と図３で示すように、紐掛け用のフック（１）を同体とし軸穴（５）を設けた回転板（２）を形成させると共に軸受け（６）を組み込んだ誘導棒のグリップエンド部（４）を形成して、双方を軸穴（５）より僅かに細い軸ビス（７）により合体させる事に依って誘導棒自体の回転を可能にし紐のよじれと摩耗の防止を可能にした事を特徴とする、なお回転板（２）のフック（１）の形成については紐が装着状態のままで脱着が可能であると共に簡単には外れないようにする為に先端部と回転板（２）との間隔を紐の太さの半分程度とする。【００１２】  請求項２に依る方法は図２〜図４で示すように誘導棒グリップ部（３）の乾電池ケース（１３）内底部の全面に一定の深さのホール（９）とストッパーＢ（８）とを交互に合計８組〜１２組を配置形成させる、と共に図５で示すように円錐形でスパイラル形状のコイルスプリング（１４）の最大外形部端末に先端を下方に向け直角に伸びるストッパーＡ（１５）を形成させ、伝導板（１６）を止め具（１７）又は溶着に依って横移動が可能な状態でコイルスプリング（１４）の最大外形端末部に装着し、伝導板（１６）を２本のガイド（１０）の間に挿入しストッパーＡ（１５）を乾電池ケース（１３）のホール（９）に収納して伝導板（１６）の上部先端部を止め具（１８）に依り伝導板ホール（１１）内及び止め具ホール（１２）内に於いてスライド可能な状態でグリップ部（３）に装着する、従って上記構造のために乾電池ケース（１３）に乾電池を挿入し装着ネジ（１９）で誘導灯の装着部に合体させる事に依って、ストッパーＡ（１５）が誘導棒の操作によるコイルスプリング（１４）自体の自然回転によりホール（９）に隣接するストッパーＢ（８）の壁面に突き当たる（図５参照）事と成ってコイルスプリング（１４）の回転を完全に止める事が出来る。
【実施例】
【００１３】  以上請求項１の実施に依り誘導棒自体の横回転を可能にした事に依ってフック（１）に装着する紐のよじれに依り発生する反動運動の除去と摩耗の防止が図れると共に、紐の柔軟性を充分に活用する事に依って回転操作等のリズムカルなスピード感のある誘導操作を可能とし、また誘導棒の操作に伴い多発する電気の伝導障害を阻止する為に請求項２の実施によりコイルスプリング（１４）の回転を止める事に依って伝導板（１６）はコイルスプリング（１４）の自然回転で発生する摩擦及び圧力を受ける事が無く成りガイド（１０）との間に摩擦も発生せず正常なバネ運動が確保されて、伝導板（１６）と誘導灯側との接触不良に依る電気伝導障害を無くし突然の消灯等を解消した事、で長期間の使用が可能な物と成り安全で安心の出来る誘導棒とする事が出来た。
【産業上の利用可能性】
【００１４】  本発明は警備業用品の製造、販売する産業分野で利用する事ができる。
【図面の簡単な説明】
【００１５】
【図１】  本発明の実施に係る誘導棒のグリップ部の外観斜視図である。
【図２】  図１に於ける誘導棒グリップ部の右側面図である。
【図３】  図２に於ける誘導棒グリップ部のＡ〜Ａ線断面図である。
【図４】  図１と図３に於けるＢ〜Ｂ線断面図である。
【図５】  ストッパーＡを形成させたコイルスプリングに伝導板を装着すると共に乾電池ケース内に装着した状態での図２に於けるＡ〜Ａ線断面図である。
【符号の説明】
【００１６】  １    フック                ２    回転板              ３    グリップ部
４    グリップエンド        ５    軸穴                ６    軸受け
７    軸ビス                ８    ストッパーＢ        ９    ホール
１０    ガイド              １１    伝導板ホール      １２    止め具ホール
１３    乾電池ケース        １４    コイルスプリング  １５    ストッパーＡ
１６    伝導板              １７    止め具            １８    止め具
１９    装着ネジ            ２０    フランヂ
【図１】
0004582524.tif 000002
【図２】
0004582524.tif 000003
【図３】
0004582524.tif 000004
【図４】
0004582524.tif 000005
【図５】
0004582524.tif 000006